【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
ａ）少なくとも式Ａ
Ｘ−（Ｌ１）ｎ−Ｒ’−（Ｌ２）ｍ−Ｒｆ
（式中、
ｎは、０または１のいずれかであり；
ｍは、０または１のいずれかであり；
Ｒｆは、分岐、直鎖または環状の過フッ素化脂肪族構造であって、いずれの単一直鎖セセグメントにおいても連結している含フッ素炭素が６個以下であり、１個以上の酸素原子により分断されていてもよい構造であり；
Ｘは、処理される表面に結合官能性を与える少なくとも１個の基を有するか、または少なくとも１つの重合性二重結合を有するか、または少なくとも１個の架橋性基を有する部分であり；
Ｒ’は、極性相互作用または水素結合を形成することができる少なくとも１個の基を有する二価の基であり；
Ｌ１およびＬ２は、独立して、極性相互作用または水素結合を形成しない二価の連結基である）
の第１の化合物、および
ｂ）式Ｂ
Ｘ−（Ｌ３）ｐ−Ｒｆ
（式中、
ｐは、０または１のいずれかであり；
Ｒｆは、分岐、直鎖または環状の過フッ素化脂肪族構造であって、いずれの単一直鎖セセグメントにおいても連結している含フッ素炭素が６個以下であり、１個以上の酸素原子により分断されていてもよい構造であり；
Ｘは、処理される表面に結合官能性を与える少なくとも１個の基を有するか、または少なくとも１つの重合性二重結合を有するか、または少なくとも１個の架橋性基を有する部分であり；
Ｌ３は、極性相互作用または水素結合を形成しない二価の連結基である）
の第２の化合物
を含む、組成物。
【請求項２】
ａ）少なくとも式Ａ
Ｘ−（Ｌ１）ｎ−Ｒ’−（Ｌ２）ｍ−Ｒｆ
（式中、
ｎは、０または１のいずれかであり；
ｍは、０または１のいずれかであり；
Ｒｆは、分岐、直鎖または環状の過フッ素化脂肪族構造であって、いずれの単一直鎖セセグメントにおいても連結している含フッ素炭素が６個以下であり、１個以上の酸素原子により分断されていてもよい構造であり；
Ｘは、アクリレート、メタクリレート、またはビニル基であり；
Ｒ’は、−（ＣＨ２）ｐＣＨ（ＯＨ）（ＣＨ２）ｑ−、−（ＣＨ２）ｐＣＨ（ＣＨ２ＯＨ）（ＣＨ２）ｑ−、−ＮＲ１ＳＯ２−、−Ｃ（Ｏ）ＮＲ２−、または−Ｃ（Ｏ）Ｏ−であり、
ここで、ｐおよびｑは、独立して、１〜４の整数であり、かつ
Ｒ１、Ｒ２は、水素原子、または１〜４個の炭素原子を有する直鎖または分岐であるアルキル基を独立して表し；
Ｌ１およびＬ２は、独立して、最大で６個の炭素原子の二価の直鎖または分岐アルキル鎖である）
の第１の化合物、および
ｂ）式Ｂ
Ｘ−（Ｌ３）ｐ−Ｒｆ
（式中、
ｐは、０または１のいずれかであり；
Ｒｆは、分岐、直鎖または環状の過フッ素化脂肪族構造であって、いずれの単一直鎖セセグメントにおいても連結している含フッ素炭素が６個以下であり、１個以上の酸素原子により分断されていてもよい構造であり；
Ｘは、アクリレート、メタクリレート、またはビニル基であり；
Ｌ３は、最大で６個の炭素原子の二価の直鎖または分岐アルキル鎖である）
の第２の化合物
を含む、組成物。
【請求項３】
Ｒｆが、Ｃ６Ｆ１３−、（ＣＦ３）２ＣＦ（ＣＦ２）４−、またはＦ（ＣＦ（ＣＦ３）ＣＦ２Ｏ）ｎＣＦ（ＣＦ３）−（ここで、ｎは、１〜４である）である、請求項１または２に記載の組成物。
【請求項４】
式Ａの前記化合物が、
ａ）Ｎ−メチル−Ｎ−［（２−メチルプロペノイル）エチル］−３，３，４，４，５，５，６，６，７，７，８，８，８−トリデカフルオロオクチルスルホンアミド；
ｂ）Ｎ−メチル−Ｎ−［（プロペノイル）エチル］−３，３，４，４，５，５，６，６，７，７，８，８，８−トリデカフルオロオクチルスルホンアミド；
ｃ）プロペン酸４，４，５，５，６，６，７，７，８，８，９，９，９−トリデカフルオロ−２−ヒドロキシノニルエステル；
ｄ）２−メチルプロペン酸３，３，４，４，５，５，６，６，７，７，８，８，８−トリデカフルオロ−２−ヒドロキシノニルエステル；
ｅ）２−（２−メチルプロペノイル）エチル−２−（ポリ［オキシ（ヘキサフルオロプロペン）］−テトラフルオロプロパノエート；
ｆ）２−（プロペノイル）エチル−２−（ポリ［オキシ（ヘキサフルオロプロペン）］）−テトラフルオロプロパノエート；
ｇ）２−メチルプロペン酸４，４，５，５，６，６，７，７，８，９，９，９−ドデカフルオロ−２−ヒドロキシ−８−（トリフルオロメチル）−ノニルエステル；
ｈ）プロペン酸４，４，５，５，６，６，７，７，８，９，９，９−ドデカフルオロ−２−ヒドロキシ−８−（トリフルオロメチル）−ノニルエステル；
ｉ）２−メチルプロペン酸３，３，４，４，５，５，６，６，７，７，８，８，８−トリデカフルオロ−１−（ヒドロキシメチル）オクチルエステル、および
ｊ）プロペン酸３，３，４，４，５，５，６，６，７，７，８，８，８−トリデカフルオロ−１−（ヒドロキシメチル）オクチルエステル
からなる群から選択される、請求項１または２に記載の組成物。
【請求項５】
式Ｂの前記化合物が、２−メチルプロペン酸３，３，４，４，５，５，６，６，７，７，８，８，８−トリデカフルオロオクチルエステルおよびプロペン酸３，３，４，４，５，５，６，６，７，７，８，８，８−トリデカフルオロオクチルエステルからなる群から選択される、請求項１または２に記載の組成物。
【請求項６】
請求項１または２に記載の組成物を含むコーティングを有する基材であって、プレキシフィラメント高密度ポリオレフィン；メルトスパンポリオレフィン；メルトスパンポリエステル；メルトブローンポリオレフィン；メルトブローンポリエステル；セルロースおよびポリエステルのスパンレースブレンド；メタアラミド、パラアラミド、ビスコースおよび羊毛のブレンド；パラアラミドフロックおよびメタアラミドフィブリドのブレンド；ポリアミド、ならびにそれらの組合せからなる群から選択される繊維を含む、基材。
【手続補正２】
【補正対象書類名】明細書
【補正対象項目名】００７８
【補正方法】変更
【補正の内容】
【００７８】
表は、基材が効果を有するが、一方でタイプＡおよびタイプＢの混合物を使用しての相乗効果が保たれることを示す。
本発明のまた別の態様は、以下のとおりであってもよい。
〔１〕ａ）少なくとも式Ａ
Ｘ−（Ｌ１）ｎ−Ｒ’−（Ｌ２）ｍ−Ｒｆ
（式中、
ｎは、０または１のいずれかであり；
ｍは、０または１のいずれかであり；
Ｒｆは、分岐、直鎖または環状の過フッ素化脂肪族構造であって、６個以下の含フッ素炭素が任意の単一直鎖セグメントで連結されており、１個以上の酸素原子により中断されていてもよい構造であり；
Ｘは、処理される表面に結合官能性を与える少なくとも１個の基を有するか、または少なくとも１つの重合性二重結合を有するか、または少なくとも１個の架橋性基を有する部分であり；
Ｒ’は、極性相互作用または水素結合を形成することができる少なくとも１個の基を有する二価の基であり；
Ｌ１およびＬ２は、独立して、極性相互作用または水素結合を形成しない二価の連結基である）
の第１の化合物、および
ｂ）式Ｂ
Ｘ−（Ｌ３）ｐ−Ｒｆ
（式中、
ｐは、０または１のいずれかであり；
Ｒｆは、分岐、直鎖または環状の過フッ素化脂肪族構造であって、６個以下の含フッ素炭素が任意の単一直鎖セグメントで連結されており、１個以上の酸素原子により中断されていてもよい構造であり；
Ｘは、処理される表面に結合官能性を与える少なくとも１個の基を有するか、または少なくとも１つの重合性二重結合を有するか、または少なくとも１個の架橋性基を有する部分であり；
Ｌ３は、極性相互作用または水素結合を形成しない二価の連結基である）
の第２の化合物
を含む、組成物。
〔２〕ａ）少なくとも式Ａ
Ｘ−（Ｌ１）ｎ−Ｒ’−（Ｌ２）ｍ−Ｒｆ
（式中、
ｎは、０または１のいずれかであり；
ｍは、０または１のいずれかであり；
Ｒｆは、分岐、直鎖または環状の過フッ素化脂肪族構造であって、６個以下の含フッ素炭素が任意の単一直鎖セグメントで連結されており、１個以上の酸素原子により中断されていてもよい構造であり；
Ｘは、アクリレート、メタクリレート、またはビニル基であり；
Ｒ’は、−（ＣＨ２）ｐＣＨ（ＯＨ）（ＣＨ２）ｑ−、−（ＣＨ２）ｐＣＨ（ＣＨ２ＯＨ）（ＣＨ２）ｑ−、−ＮＲ１ＳＯ２−、−Ｃ（Ｏ）ＮＲ２−、または−Ｃ（Ｏ）−であり、
ここで、ｐおよびｑは、独立して、１〜４の整数であり、かつ
Ｒ１、Ｒ２は、水素原子、または１〜４個の炭素原子を有する直鎖または分岐であるアルキル基を独立して表し；
Ｌ１およびＬ２は、独立して、最大で６個の炭素原子の二価の直鎖または分岐アルキル鎖である）
の第１の化合物、および
ｂ）式Ｂ
Ｘ−（Ｌ３）ｐ−Ｒｆ
（式中、
ｐは、０または１のいずれかであり；
Ｒｆは、分岐、直鎖または環状の過フッ素化脂肪族構造であって、６個以下の含フッ素炭素が任意の単一直鎖セグメントで連結されており、１個以上の酸素原子により中断されていてもよい構造であり；
Ｒは、アクリレート、メタクリレート、またはビニル基であり；
Ｌ３は、最大で６個の炭素原子の二価の直鎖または分岐アルキル鎖である）
の第２の化合物
を含む、組成物。
〔３〕Ｒｆが、Ｃ６Ｆ１３−、（ＣＦ３）２ＣＦ（ＣＦ２）４−、またはＦ（ＣＦ（ＣＦ３）ＣＦ２Ｏ）ｎＣＦ（ＣＦ３）−（ここで、ｎは、１〜４である）である、前記〔１〕または〔２〕に記載の組成物。
〔４〕式ＡのＲ’が、−ＣＨ２ＣＨ（ＯＨ）ＣＨ２−、−ＣＨ２ＣＨ（ＣＨ２ＯＨ）−、−Ｃ（Ｏ）Ｏ−、または−Ｎ（ＣＨ３）ＳＯ２−である、前記〔１〕または〔２〕に記載の組成物。
〔５〕式Ａまたは式Ｂの前記化合物のＸが、独立して、アクリレートまたはメタクリレートである、前記〔１〕または〔２〕に記載の組成物。
〔６〕式Ａの前記化合物が、
ａ）Ｎ−メチル−Ｎ−［（２−メチルプロペノイル）エチル］−３，３，４，４，５，５，６，６，７，７，８，８，８−トリデカフルオロオクチルスルホンアミド；
ｂ）Ｎ−メチル−Ｎ−［（プロペノイル）エチル］−３，３，４，４，５，５，６，６，７，７，８，８，８−トリデカフルオロオクチルスルホンアミド；
ｃ）プロペン酸４，４，５，５，６，６，７，７，８，８，９，９，９−トリデカフルオロ−２−ヒドロキシノニルエステル；
ｄ）２−メチルプロペン酸３，３，４，４，５，５，６，６，７，７，８，８，８−トリデカフルオロ−２−ヒドロキシノニルエステル；
ｅ）２−（２−メチルプロペノイル）エチル−２−（ポリ［オキシ（ヘキサフルオロプロペン）］−テトラフルオロプロパノエート；
ｆ）２−（プロペノイル）エチル−２−（ポリ［オキシ（ヘキサフルオロプロペン）］）−テトラフルオロプロパノエート；
ｇ）２−メチルプロペン酸４，４，５，５，６，６，７，７，８，９，９，９−ドデカフルオロ−２−ヒドロキシ−８−（トリフルオロメチル）−ノニルエステル；
ｈ）プロペン酸４，４，５，５，６，６，７，７，８，９，９，９−ドデカフルオロ−２−ヒドロキシ−８−（トリフルオロメチル）−ノニルエステル；
ｉ）２−メチルプロペン酸３，３，４，４，５，５，６，６，７，７，８，８，８−トリデカフルオロ−１−（ヒドロキシメチル）オクチルエステル、および
ｊ）プロペン酸３，３，４，４，５，５，６，６，７，７，８，８，８−トリデカフルオロ−１−（ヒドロキシメチル）オクチルエステル
からなる群から選択される、前記〔１〕または〔２〕に記載の組成物。
〔７〕式Ｂの前記化合物が、２−メチルプロペン酸３，３，４，４，５，５，６，６，７，７，８，８，８−トリデカフルオロオクチルエステルおよびプロペン酸３，３，４，４，５，５，６，６，７，７，８，８，８−トリデカフルオロオクチルエステルからなる群から選択される、前記〔１〕または〔２〕に記載の組成物。
〔８〕式Ａの前記第１の化合物および式Ｂの前記第２の化合物が、それぞれ、８０：２０〜２０：８０のモル比である、前記〔１〕〜〔７〕のいずれか一項に記載の組成物。
〔９〕前記〔１〕または〔２〕に記載の組成物を含むコーティングを有する基材であって、プレキシフィラメント高密度ポリオレフィン；メルトスパンポリオレフィン；メルトスパンポリエステル；メルトブローンポリオレフィン；メルトブローンポリエステル；セルロースおよびポリエステルのスパンレースブレンド；メタアラミド、パラアラミド、ビスコースおよび羊毛のブレンド；パラアラミドフロックおよびメタアラミドフィブリドのブレンド；ポリアミド、ならびにそれらの組合せからなる群から選択される繊維を含む、基材。